(57)【要約】      （修正有）【課題】アルカリ性水の水路に対して酸性水を供給する時期を自動的に判別し、自動的に酸性水を供給してスケールによるアルカリ性水の水路の目詰まり防止が可能な電解水生成装置を提供する。【解決手段】取水口１４Ｔでのアルカリ性水と酸性水の各累積取水時間を計時して、両電解水の累積取水時間の差が予め設定したしきい値よりも長い場合に、上記アルカリ性水が送水されていた時間が長い方の取水口又は排水口１６Ｔの各取水路１４又は排水路１６に対して、酸性水を一定時間送水して洗浄するように制御することにより、スケールを溶解除去する。【選択図】図１
2010221127.tif 000002
【特許請求の範囲】
【請求項１】
電解槽の陰極室から生成されるアルカリ性水と、陽極室から生成される酸性水のうち、いずれか一方の電解水を取水口から取水して洗浄又は殺菌に利用し、これ等洗浄又は殺菌に利用しない他方の電解水を排水口から排水するように構成した電解水生成装置であって、 
制御装置の指令に従って、定時間毎に上記陰極室と陽極室の極性を転換させる電極転換手段と、   
同じく上記制御装置の指令に従って、上記電極の転換に影響されること無く、常に選択されたいずれか一方の電解水を上記取水口に送水し、他方の電解水を上記排水口に送水する水路切替手段とを設けて、 
上記取水口での上記アルカリ性水と酸性水の各累積取水時間を計時して、両電解水の累積取水時間の差が、予め設定されているしきい値、即ち、アルカリ性水の連続通水によって水路内にスケールが付着されると見なされる時間よりも長い場合に、上記アルカリ性水が送水されていた時間が長い方の取水口又は排水口の配管に対して、酸性水を一定時間送水して洗浄することを特徴とする配管洗浄機能を備えた電解水生成装置。 
【請求項２】
前記累積取水時間の差が前記予め設定されているしきい値に達した時に、前記取水口からの取水作業が継続中の場合は、当該取水作業が終了した時点で、前記配管洗浄の開始が可能になることを特徴とする請求項１に記載の配管洗浄機能を備えた電解水生成装置。 
【請求項３】
前記の配管洗浄の開始は、設定による自動起動、若しくは、手動起動の選択が可能であることを特徴とする請求項１又は２に記載の配管洗浄機能を備えた電解水生成装置。 
【請求項４】
前記アルカリ性水と酸性水の各累積取水時間の差、と比較する前記しきい値を可変可能とし、且つ、入力設定可能に構成したことを特徴とする請求項１、２又は３に記載の配管洗浄機能を備えた電解水生成装置。 
【請求項５】
前記しきい値の入力操作は、予め使用する夫々の水道水の硬度に応じたしきい値を割り当てた設定テーブルを作成し、この設定テーブルのしきい値を分類記号で表して入力可能に構成されていることを特徴とする請求項４に記載の配管洗浄機能を備えた電解水生成装置。 
【請求項６】
前記取水口から取水可能な電解水が、前記アルカリ性水、酸性水、或いは、アルカリ性水及び酸性水のいずれかを、選択により取水可能にしたことを特徴とする請求項１乃至５のいずれかに記載の配管洗浄機能を備えた電解水生成装置。 
【請求項７】
前記累積取水時間の差が、設定された前記しきい値に達した場合には、少なくとも報知され、更に洗浄中は、洗浄中であること、及び、洗浄残時間が報知されることを特徴とする請求項１乃至６のいずれかに記載の配管洗浄機能を備えた電解水生成装置。 
【発明の詳細な説明】
【技術分野】
【０００１】
本発明は、水道水に電解質を添加した被電解水を電解槽内に導入して電気分解を行うことにより、電解槽の陰極室からアルカリ性電解水（以下アルカリ性水という）を生成し、陽極室からは酸性電解水（以下酸性水という）を生成するように構成した電解水生成装置に関するものであって、具体的には、上記の電解水を生成するに当たって、アルカリ性水の水路に付着するスケールを、自動的に除去することができる配管洗浄機能を備えた電解水生成装置に関するものである。 
【背景技術】
【０００２】
電解水生成装置でアルカリ性水と酸性水を生成する場合には、通常水道水に電解質として代表的な食塩を添加して電気分解を行なう。水道水には陽イオンを持ったマグネシウムやカルシウムが含まれ、電気分解により陰極側がアルカリ性になり、水酸化マグネシウムや水酸化カルシウムとなって析出するため、これがスケールとなって隔膜や電極に付着して導通不良等をもたらす。 
【０００３】
この問題を解決する為に、電解水の生成時には電極に印加する電圧の極性を反転させることにより酸性水を生成して、付着したスケールを溶解する方法を採っている。 
【０００４】
しかし、電極に印加する電圧の極性を反転させることにより、酸性水を生成して電解槽内に付着したスケールは除去できるが、常時アルカリ性水が流れる水路（配管）には酸性水が流れないのでスケールの除去は出来なかった。 
【０００５】
そこで従来は、例えば特許文献１に記載の電解イオン水生成装置のように、アルカリ性水の導出管（水路）に酸性水を供給することにより、アルカリ性水導出管に沈澱付着している各スケールを溶解除去して、アルカリ性水用水路の目詰まりを解消することが考えられた。 
【先行技術文献】
【特許文献】
【０００６】
【特許文献１】特開平７−２５６２５６号公報
【発明の概要】
【発明が解決しようとする課題】
【０００７】
ところが、上記特許文献１に記載の発明は、アルカリ性イオン水導出管に付着したスケールの除去操作の時期は作業者の判断によって行なわれるものであった。従って、作業者がスケールの除去操作を忘れると、水路が閉塞してしまい装置の使用が不可能になる問題があった。従って、装置の再利用のためには、水路に付着したスケールの除去作業が必要であり、作業の方法としては水路内にクエン酸等の酸を流し込み、スケールが溶解するまで長時間待たなければならないため、作業が頗る煩雑であり、また、その溶解中は電解水の生成が出来なかった。 
【０００８】
そこで本発明の技術的課題は、電解水生成装置において、アルカリ性水の水路（配管）に対して酸性水を供給する時期を自動的に判定して、時期が来ると自動的に酸性水を供給することにより、スケールによるアルカリ性水の水路の詰まりを防止することである。 
【課題を解決するための手段】
【０００９】
（１）  上記の技術的課題を解決するために本発明の請求項１に係る配管洗浄機能を備えた電解水生成装置は、電解槽の陰極室から生成されるアルカリ性水と、陽極室から生成される酸性水のうち、いずれか一方の電解水を取水口から取水して洗浄又は殺菌に利用し、これ等洗浄又は殺菌に利用しない他方の電解水を排水口から排水するように構成した電解水生成装置であって、制御装置の指令に従って、定時間毎に上記陰極室と陽極室の極性を転換させる電極転換手段と、同じく上記制御装置の指令に従って上記電極の転換に影響されること無く、常に選択されたいずれか一方の電解水を上記取水口に送水し、他方の電解水を上記排水口に送水する水路切替手段とを設けて、上記取水口での上記アルカリ性水と酸性水の各累積取水時間を計時して、両電解水の累積取水時間の差が、予め設定されているしきい値、即ち、アルカリ性水の連続通水によって水路内にスケールが付着されると見なされる時間よりも長い場合に、上記アルカリ性水が送水されていた時間が長い方の取水口又は排水口の配管に対して、酸性水を一定時間送水して洗浄することを特徴としている。 
【００１０】
（２）  また、本発明の請求項２に係る配管洗浄機能を備えた電解水生成装置は、前記累積取水時間の差が前記予め設定されているしきい値に達した時に、前記取水口からの取水作業が継続中の場合は、当該取水作業が終了した時点で、前記配管洗浄の開始が可能になることを特徴としている。 
【００１１】
（３）  また、本発明の請求項３に係る配管洗浄機能を備えた電解水生成装置は、前記の配管洗浄の開始は、設定による自動起動、若しくは、手動起動の選択が可能であることを特徴としている。 
【００１２】
（４）  また、本発明の請求項４に係る配管洗浄機能を備えた電解水生成装置は、前記アルカリ性水と酸性水の各累積取水時間の差、と比較する前記しきい値を可変可能とし、且つ、入力設定可能に構成したことを特徴としている。 
【００１３】
（５）  また、本発明の請求項５に係る配管洗浄機能を備えた電解水生成装置は、前記しきい値の入力操作は、予め使用する夫々の水道水の硬度に応じたしきい値を割り当てた設定テーブルを作成し、この設定テーブルのしきい値を分類記号で表して入力可能に構成されていることを特徴としている。 
【００１４】
（６）  また、本発明の請求項６に係る配管洗浄機能を備えた電解水生成装置は、前記取水口から取水可能な電解水が、前記アルカリ性水、酸性水、或いは、アルカリ性水及び酸性水のいずれかを、選択により取水可能にしたことを特徴としている。 
【００１５】
（７）  更に、本発明の請求項７に係る配管洗浄機能を備えた電解水生成装置は、前記累積取水時間の差が、設定された前記しきい値に達した場合には、少なくとも報知され、更に洗浄中は、洗浄中であること、及び、洗浄残時間が報知されることを特徴としている。 
【発明の効果】
【００１６】
上記（１）で述べた請求項１に係る手段によれば、有隔膜電解水生成装置に於いて、計時手段を備え、制御装置の指令により、定時間毎に陰電極と陽電極の各々電極に印加する通電極性を反転する機能を有し、極性の反転によって各電極室では交互にアルカリ性水と酸性水を生成する。一方、電解槽には、各電解水を送水する送水口を設け、各送水口からの水路に水路切替手段を接続して、極性の反転に拘わらず常に取水口から所望する電解水の取水が出来るように制御する。 
【００１７】
一方の電解水のみを長時間取水すると、アルカリ性水が常時流れる水路にスケールが付着するので、アルカリ性水の取水時間と、酸性水の取水時間とを比較して、一方の電解水の取水時間が他方の電解水の取水時間よりも設定時間数を超過して取水した場合に、水路切替手段より下流の長時間アルカリ性水が流れていた水路に対して酸性水を供給して配管洗浄を行ない、スケールを溶解除去する。 
【００１８】
以上の結果から、本発明の請求項１に係る手段によれば、一方の電解水のみを偏って使用した場合に、アルカリ性水が流れる水路にスケールが付着する問題を解消するべく、最適なタイミングで洗浄を要する水路を自動的に判定して洗浄を行なえる。よって、経験の浅い人でも無駄に洗浄してしまうことがなく、本来の電解水生成・供給の妨げとなる洗浄時間を最低限に抑えることが出来る。その結果、作業者が定期的に配管洗浄の操作を行なう煩わしさがなく、洗浄を忘れた場合の酸によるスケールの除去作業が不要になるといった、効果を発揮することができる。 
【００１９】
次に、上記（２）で述べた請求項２に係る手段によれば、累積取水時間が設定値（しきい値）に達した時が取水作業中である場合は、配管洗浄は目的の取水作業が終了した時点で行なう。 
【００２０】
以上の結果から、本発明の請求項２に係る手段によれば、配管洗浄は目的の取水作業が終了した時点で行なうので、取水作業中に他の電解水が混入することがないという、効果を発揮することができる。 
【００２１】
次に、上記（３）で述べた請求項３に係る手段によれば、配管洗浄の起動は、自動と手動の選択が出来るため、自動起動では全く操作することなくノータッチにて配管洗浄が出来、手動起動の場合は次の取水作業がない時間帯を選択して洗浄することが出来る。 
【００２２】
次に、上記（４）で述べた請求項４に係る手段によれば、アルカリ性水の累積取水時間と酸性水の累積取水時間の差、と比較する配管洗浄必要時間数（しきい値）は可変であり、且つ、入力可能であるため、水道水に含まれるマグネシウムやカルシウムの量が異なる地域でも夫々の地域に応じて対応できる。 
【００２３】
次に、上記（５）で述べた請求項５に係る手段によれば、装置を設置する地域の水道水の硬度は予め分かっているので、硬度に応じたしきい値を分類記号で表わし、この記号で入力可能とする。従って、地域の水道水の硬度が分かるので、不慣れで設定すべきしきい値がわからない人でも、設定テーブルによってしきい値を分類記号で容易に正しく設定することができる。 
【００２４】
次に、上記（６）で述べた請求項６に係る手段によれば、取水口から取水可能な電解水として、アルカリ性水、酸性水、及び、アルカリ性水と酸性水を選択によって取水可能にしているため、アルカリ性水による油脂類の付着物の洗浄、酸性水による殺菌、更には双方の電解水を取水できるので、手指の洗浄殺菌等が可能であり、夫々の電解水の取水時に於いても配管洗浄の時期を自動的に報知できる。 
【００２５】
更に、上記（７）で述べた請求項７に係る手段によれば、配管洗浄時間に達した場合には、少なくともこれを報知し、洗浄中は洗浄中及び洗浄残時間の報知を可能とするため、作業者は配管洗浄時間に達したことが分かり、洗浄中も報知されるのでスケールを溶解した酸性水を取水する様なことがなく、更には洗浄残時間を報知するので、作業の予定が立て易い、といった、頗る好適な効果を発揮できる。 
【図面の簡単な説明】
【００２６】
【図１】本発明に係る配管洗浄機能を備えた電解水生成装置の全体を示した構成図。
【図２】本発明の実施例に係る操作部パネルの正面図。
【図３】本発明の電気的構成を説明したブロック図。
【図４】本発明の動作を説明したフロー図。
【図５】図４に示したフロー図の続きを説明したフロー図。
【発明を実施するための形態】
【００２７】
以下に、本発明に係る配管洗浄機能を備えた電解水生成装置の実施の形態を図面と共に説明すると、図１は本発明の全体を説明した構成図であって、図中、符号１で全体的に示したのは、水道水若しくは純水に電解質を添加した被電解水を電気分解することによって、陽極側に殺菌効果を有する酸性水を生成し、陰極側に洗浄効果を有するアルカリ性水を生成することができる電解水生成装置であって、同じく符号２で全体的に示したのは手指の洗浄部を示す。 
【００２８】
上記の電解水生成装置１は、電解槽１０と、電源部２０と、制御基板を備えた制御装置３０と、第１〜第４の計４個の水路切替用の電磁弁４１，４２，４３，４４から成る水路切替装置４０とを備えていて、この水路切替装置４０には、後述する電極反転手段によって電解槽１０の電極が途中で反転したとしても、この反転によって後述する取水口１４Ｔから取水（給水）される電解水の性状が反転しないように制御するための、性状維持機能が具備されている。 
【００２９】
即ち、電解槽１０の内部は、隔膜１０Ｔによって２つの電解室１０Ａ，１０Ｂに仕切られていて、各電解室１０Ａ，１０Ｂには夫々電極１０Ｘ，１０Ｙが取り付けられている。これ等各電極１０Ｘ，１０Ｙの極性は、制御装置３０による定期的なリレースイッチ３１，３２の切替制御に従って反転し、その結果、両電解室１０Ａ，１０Ｂで生成される電解水の性状を反転することを可能にしている。 
【００３０】
従って、本発明で使用する電解槽１０は、両電解室１０Ａ，１０Ｂ内で、アルカリ性水と酸性水を定期的に交互に生成するため、アルカリ性水を生成した陰極室に付着したスケールは、次回の電極の反転によって陽極室になるので、この陽極室で生成された酸性水によって溶解除去されると共に、両電解室１０Ａ，１０Ｂの上面に設けた各採水口１０Ｍ，１０Ｎに対して、各下端部を連通接続した各送水路１１Ａ，１１Ｂ内でのスケールの発生も、合わせて防止できる仕組みに成っている。 
【００３１】
更に、上記一方の送水路１１Ａの上端側には、上述した第３と第４の水路切替用の電磁弁４３と４４が並列に接続され、また、上記他方の送水路１１Ｂの上端側には、上述した第１と第２の水路切替用の電磁弁４１と４２が、同じく並列接続されている。 
【００３２】
更に図中、１２は上記第１と第３の水路切替用の電磁弁４１，４３の間を接続する第１の切替用水路、１３は上記第２と第４の水路切替用の電磁弁４２，４４の間を接続する第２の切替用水路であって、前述した制御装置３０からの指令に従って開閉制御されるこれ等計４個の水路切替用の電磁弁４１，４２，４３，４４と、計２本の切替用水路１２，１３とによって、前述した性状維持機能を備えた水路切替装置４０が構成されているが、この性状維持機能の作用に付いては後述する。 
【００３３】
同じく図１において、１４は根端部を上記第１の切替用水路１２の中間部分に接続し、先端部には取水口１４Ｔを設けた取水路、１６は根端部を上記第２の切替用水路１３の中間部分に接続し、先端部には排水口１６Ｔを設けた排水路、１５はシンクであって、このシンク１５からの排水と、排水口１６Ｔからの排水を一緒にすることによって、中和させる仕組みに成っている。 
【００３４】
次に、上述した性状維持機能に付いて説明すると、例えば一方の電解室１０Ａで酸性水が生成され、他方の電解室１０Ｂでアルカリ性水が生成されている状態において、制御装置３０が上記水路切替装置４０の第１と第４の電磁弁４１，４４を開とし、第２と第３の電磁弁４２，４３を閉とすると、一方の電解室１０Ａで生成された酸性水は、一方の送水路１１Ａより開いている第４の電磁弁４４を通って第２の切替用水路１３から排水路１４を経て排水口１６Ｔに排水される。また、他方の電解室１０Ｂで生成されているアルカリ性水は、他方の送水路１１Ｂより開いている第１の電磁弁４１を通って、第１の切替用水路１２から取水路１４を経て取水口１４Ｔに送水される。 
【００３５】
以上の給水形態において、例えば定期的なプログラムに従って制御装置３０がリレースイッチ３１，３２を切替えて、双方の電解室１０Ａ，１０Ｂの電極１０Ｘ、１０Ｙの極性を図１の状態から反転させた場合、一方の電解室１０Ａではアルカリ性水が生成され、他方の電解室１０Ｂでは酸性水が生成されることになるため、上記電磁弁４１〜４４の開閉状態がそのまま続くと、取水口１４Ｔに酸性水が送水され、排水口１６Ｔにアルカリ性水が送水されることになって、希望する電解水を取水口１４Ｔから得られなくなったり、取水の途中で異なる電解水（この場合は酸性水）が給水されてしまう問題が発生する。 
【００３６】
しかし、本発明では制御装置３０が上記電解室１０Ａ，１０Ｂの電極１０Ｘ，１０Ｙの極性を反転させると同時に、同じく制御装置３０が上記電磁弁４１〜４４の開閉状態を、第１と第４を閉、第２と第３を開に逆に切替えるように制御作動するため、取水口１４Ｔから続けてアルカリ性水を取水し、排水口１６Ｔからは続けて酸性水を排水することが可能となり、取水する電解水の性状をそのまま維持することができる。 
【００３７】
尚、図１に示した構成図では、水路切替装置４０として、計４個の電磁弁４１〜４４を用いた装置が記載されているが、これは実施の一例であって、計２個の三方弁式電磁弁、或いは、１個の四方弁式電磁弁を代わりに使用してもよく、その選択は任意とする。 
【００３８】
一方、前記手指洗浄部２に設けた操作部５０のパネル５０Ｐには、例えば、図２に示すようにモード切替ボタン５２の操作に従って、本発明に係る電解水生成装置１の運転モードを、上記取水口１４Ｔからアルカリ性水を取水させることができる「アルカリ性水取水モード」と、取水口１４Ｔから酸性水を取水させることができる「酸性水取水モード」と、取水口１４Ｔから先ずアルカリ性水を出水させた後、酸性水を出水させて洗浄と消毒を行う「手洗い取水モード」のいずれかに切替えることができるモード切替釦５２と、表示部５３に例えば配管洗浄の時期、配管洗浄までの残時間、洗浄開始時間に達した場合の表示、前記アルカリ性水と酸性水の累積取水時間の差や、この差としきい値とを比較した結果等を表示することができる表示部５３と、上記モード切替釦５２を押すことによって選定された各取水モードを各々点灯により明示する表示ランプ５０Ａ，５０Ｂ，５０Ｃと、電解質の補給が必要になった場合に点灯する電解質補給ランプ５０Ｄと、手をかざすことによって取水の開始及び停止を指令する非接触センサ５４が設けられている。 
【００３９】
尚、下記の表１は水道水の各硬度に基づく上記「しきい値」の一例を示した設定表であって、この設定表に示された「しきい値」は予め制御装置３０のメモリー３２に格納されている。 
【表１】
2010221127.tif 000003
【００４０】
次に、図３は上述した本発明の電気的な構成を説明したブロック図であって、制御部の中心を構成するＣＰＵ３１と、洗浄に必要な各種プログラムを格納したメモリー３２との間に、バス３３を介して接続されたインターフェイス３４には、時計回路３５と、前記電極反転用のリレー３１，３２によって構成される電極反転部３６と、表示部５３と、前述したしきい値やその分類記号といった各種データ入力用の入力部３７と、上述した非接触センサ５４が接続されている。 
【００４１】
更に上記のインターフェイス３４には、水路切替装置４０としての水路切替用の各電磁弁４１，４２，４３，４４と、流量調整弁４と、フローセンサ６と、入水用電弁５と、電解質供給ポンプ８Ｐが接続されていて、夫々がメモリー３２に格納した制御プログラムに従ってＣＰＵ３１によって制御される仕組みに成っている。 
【００４２】
また、ＣＰＵ３１には、夫々メモリー３２に格納されているプログラムに従って、上記電解槽１０に設けた電極１０Ｘ，１０Ｙの極性を定時間毎に反転させるための第一の時計部３１Ａと、前記水路切替用の電磁弁４１〜４４の開閉状態から、取水口１４Ｔに取水されるアルカリ性水と酸性水の累積取水時間を計時する第二の計時部３１Ｂと、その取水時間の時間差と、前記しきい値とを比較して、この時間差がしきい値を超えた場合に、アルカリ性水が送水されている時間が長い方の水路に対して、前記水路切替装置４０を切替制御することにより、酸性水を送水して溶解させるための酸性水及びアルカリ性水使用時間差判別部３１Ｃが具備されている。 
【００４３】
次に、上述した本発明に係る配管洗浄機能を備えた電解水生成装置の動作を、図４と図５に記載したフローチャートに従って説明する。 
【００４４】
図４に示した最初のステップＳ１では、初期値であるアルカリ性水と酸性水の累積取水時の差の設定値（しきい値）と、配管の洗浄を自動で行うか、又は、手動で行うかの設定条件等が入力される。そして、次のステップＳ２からステップＳ８は、前記操作部５０のモード切替ボタン５２を操作して「酸性水取水モード」を選択した場合に実行され、また、ステップＳ９からステップＳ１４は、「アルカリ性水取水モード」を選択した場合に、更に、ステップＳ１５は「手洗い取水モード」が選択された場合に、夫々実行される。 
【００４５】
即ち、前記ステップＳ１に続くステップＳ２では、「酸性水取水モード」が選択されたか否が判定され、ＹＥＳの場合は、ステップＳ３に進んで前記ＣＰＵ３１の第二の計時部３１Ｂによって酸性水取水カウンタが順次累積される。次いでステップＳ４に進んで酸性水とアルカリ性水の累積取水時間が比較されて、ステップＳ５で双方の累積カウンタの差が設定値（しきい値）を超えたか否かが判定され、超えた場合は、ステップＳ６に進んで配管洗浄が報知される。次いで、ステップＳ７で取水口１４Ｔでの酸性水の取水の終了が確認されると、ステップＳ８に進んで配管洗浄の設定が自動か、又は、手動かが判定され、自動の場合は図５の「Ａ」のフローに進み、手動の場合は図５の「Ｂ」のフローに進む。 
【００４６】
一方、前述したステップＳ２で酸性水を取水しない（ＮＯ）と判定した場合は、ステップＳ９に進んでアルカリ性水を取水するか否かが判定され、ＮＯの場合は前述したステップＳ１５の「手洗いモード」に進み、ＹＥＳの場合はステップＳ１０以降の「アルカリ性水取水モード」に進む。 
【００４７】
前記ステップＳ１０からステップＳ１４に至る「アルカリ性水取水モード」では、アルカリ性水取水カウンタ積算（ステップＳ１０）、酸性水取水累積カウンタを比較（ステップＳ１１）、双方の累積カウンタの差が設定（しきい値）をオーバーしたか否かの判定（ステップＳ１２）、配管洗浄の報知（ステップＳ１３）、取水終了したか否かの判定（ステップＳ１４）が順次実行されて、図５の「Ｃ」のフローに進む。 
【００４８】
図５に示した「Ａ」は酸性水取水フローの続きであって、ステップＳ１６でＴ秒間ウエイトした後、ステップＳ１７で排水口１６Ｔに向けて酸性水の通水を開始し、次いで、ステップＳ１８で操作部５０の表示部５３に「配管洗浄中」と「残洗浄時間」を表示してステップＳ１９に進む。ステップＳ１９では洗浄終了したか否かが判定され、終了した場合はステップＳ２０に進んで、上記ステップＳ１８で表示した各表示を消灯し、最後にステップＳ２１で累積カウンタをクリアして処理を終える。 
【００４９】
また、図５で「Ｂ」で示した酸性水手動取水フローでは、ステップＳ２２にて手動操作によって洗浄が開始されると、以後は上述したステップＳ１７乃至ステップＳ２１の各処理が実行される。 
【００５０】
更に、図５で「Ｃ」で示したアルカリ性水取水フローでは、先ずステップＳ２３で配管洗浄の設定が自動であるか手動であるかが判定され、自動と判定されると、ステップＳ２４に進んでＴ秒間ウエイトした後、ステップＳ２５に進んで取水口１４Ｔに通じる取水路１４に酸性水の通水を開始し、以後は、前記ステップＳ１８，Ｓ１９と同じ手順のステップＳ２６，Ｓ２７を実行した後、前記ステップＳ２０及びＳ２１に進んで処理を終える。また、前記のステップＳ２３で手動と判定した場合は、ステップＳＳ２８に進んで手動洗浄が開始され、以後は、上記ステップＳ２５乃至ステップＳ２１の処理が実行される。 
【００５１】
尚、上述した洗浄処理において、取水口１４Ｔと排水口１６Ｔへの各酸性水及びアルカリ性水の送水は、予め設定されているプログラムに従って制御装置３０が各電磁弁４１〜４４を開閉する制御することによって行われることは勿論である。 
【符号の説明】
【００５２】
１            電解水生成装置 
２            手指洗浄部 
１０          電解槽 
１０Ａ        一方の電解室 
１０Ｂ        他方の電解室 
１０Ｘ，１０Ｙ          電極 
１１Ａ，１１Ｂ          送水路 
１２，１３    切替用水路 
１４          取水路 
１４Ｔ        取水口 
１５          シンク 
１６          排水路 
１６Ｔ        排水口 
２０          電源部 
３０          制御装置 
３１，３２    リレースイッチ 
３６          電極反転部 
３７          入力部 
４０          水路切替装置 
４１，４２，４３，４４          水路切替用の電磁弁 
５０          操作部 
５３          表示部 
【図１】
2010221127.tif 000004
【図２】
2010221127.tif 000005
【図３】
2010221127.tif 000006
【図４】
2010221127.tif 000007
【図５】
2010221127.tif 000008